(57)【要約】      （修正有）【課題】簡易な構成で組み立て容易であり、さらに販売時にはコンパクトに折り畳むことができる、環境負荷の小さい安価な御供え台及び御供え品を提供する。【解決手段】御供え台１は、前面部２と、前面部２に対向する背面部３と、相互に対向し、各々が前面部２及び背面部３に折目線５を介して連設される略同一形状の２つの側面部４ａ、４ｂを備える。側面部４ａ、４ｂの上辺の各々は、略Ｌ字を構成する２つの斜辺６ａ、６ｂを含む。収納体は、御供え台１の側面部４ａ、４ｂの２つの斜辺６ａ、６ｂに沿って載置される。【選択図】図１
0003174895.tif 000002
【実用新案登録請求の範囲】
【請求項１】
収納体を載置する御供え台であって、
前面部と、
前記前面部に対向する背面部と、
相互に対向し、各々が前記前面部及び前記背面部に折目線を介して連設される略同一形状の２つの側面部と、
を備え、
前記２つの側面部の上辺の各々は、略Ｌ字を構成する２つの斜辺を含み、前記収納体は、前記２つの側面部の前記２つの斜辺に沿って載置されることを特徴とする御供え台。
【請求項２】
前記前面部、前記背面部及び前記２つの側面部が、それぞれ段ボールからなる請求項１に記載の御供え台。
【請求項３】
前記背面部の高さ方向の側辺が、前記前面部の高さ方向の側辺よりも長い請求項１又は２に記載の御供え台。
【請求項４】
前記略Ｌ字を構成する２つの斜辺のうちの前記背面部に近い斜辺が、前記背面部の高さ方向の側辺と２０度〜６０の角度を形成する請求項１から３いずれかに記載の御供え台。
【請求項５】
前面部と、
前記前面部に対向する背面部と、
相互に対向し、各々が前記前面部及び前記背面部に折目線を介して連設される略同一形状の２つの側面部と、
を備え、
前記２つの側面部の上辺の各々が、略Ｌ字を構成する２つの斜辺を含むことを特徴とする御供え台と、
被収納物を収納し、前記２つの側面部の前記２つの斜辺に沿って前記御供え台に載置される収納体と、
を備えることを特徴とする御供え品。
【考案の詳細な説明】
【技術分野】
【０００１】
本考案は、収納体を載置する御供え台及び収納体を御供え台に載置した御供え品に関する。
【背景技術】
【０００２】
仏事や慶事等においては、食品等の供物を見栄えよく供えるため、造花等を飾り付けたスタンド型の篭盛台が使用されている。スタンドには電灯等の装飾が施されることもある。このような篭盛台として、従来、台座と脚部とを連結し、組み立て容易としたものが知られている（例えば特許文献１参照）。
【先行技術文献】
【特許文献】
【０００３】
【特許文献１】登録実用新案第３１０１５５１号公報
【考案の概要】
【考案が解決しようとする課題】
【０００４】
しかしながら、組み立てを容易にし、かつ不使用時には折り畳むことができる篭盛台は構造が複雑となりがちであり、安価に提供することが困難であった。また、台座と脚部が別部材で構成される篭盛台は、重い供物等を載置すると安定した状態を保つことが困難であった。さらに、スタンド型の篭盛台は、スタンドや電灯などを焼却ごみとして処分できない場合があり、廃棄時の環境に対する負荷低減も課題となっていた。
【０００５】
本考案は、上記の課題に鑑みてなされたもので、従来の篭盛台及び篭盛に代替する御供え台及び御供え品を提供することを目的とする。本考案の別の目的は、簡易な構成で安定した御供え品として組み立て容易であり、さらに販売時には御供え台をコンパクトに折り畳むことができ、また、環境負荷の小さい安価な御供え台及び御供え品を提供することを目的とする。
【課題を解決するための手段】
【０００６】
本考案の御供え台は、収納体を載置する御供え台であって、前面部と、前記前面部に対向する背面部と、相互に対向し、各々が前記前面部及び前記背面部に折目線を介して連設される略同一形状の２つの側面部とを備え、前記２つの側面部の上辺の各々は、略Ｌ字を構成する２つの斜辺を含み、前記収納体は、前記２つの側面部の前記２つの斜辺に沿って載置されることを特徴とする。
【０００７】
前面部と背面部、及び相互に対向し、各々が前面部と背面部とに折目線を介して連設される略同一形状の２つの側面部を備え、これら２つの側面部の上辺の各々が、略Ｌ字を構成する２つの斜辺を含み、この２つの斜辺に沿って供物等が収納される収納体を載置する構成とすることで、折目線に沿った折り曲げにより、これらの２つの側面部を起立させて収納体を載置し、あるいは２つの側面部のうちのいずれかの側面部と背面部とが重なり合うように折り畳むことが可能となる。かかる簡易な構成とすることにより、販売時にはコンパクトに折り畳まれて搬送に便利であると共に、使用時には安定した御供え品として容易に組み立てることができる御供え台を安価に提供することができる。
【０００８】
また、本考案の御供え台は、前記前面部、前記背面部及び前記２つの側面部が、それぞれ段ボールからなるものであってもよい。
【０００９】
御供え台の素材を段ボールとすることで、供物等を収納した収納体を載置するのに必要な強度を備えつつも、安価であり、また、焼却して廃棄することが可能で、環境負荷を低減することができる御供え台を提供することができる。
【００１０】
また、本考案の御供え台は、前記背面部の高さ方向の側辺が、前記前面部の高さ方向の側辺よりも長いものであってよい。
【００１１】
背面部の高さ方向の側辺を前面部の高さ方向の側辺よりも長くすることで、収納体に収納される供物等を目立たせて見栄えよい御供え品とすることができる。
【００１２】
また、本考案の御供え台は、前記略Ｌ字を構成する２つの斜辺のうちの前記背面部に近い斜辺が、前記背面部の高さ方向の側辺と２０〜６０度の角度を形成するものであってもよい。
【００１３】
供物等が収納された収納体を支持する、２つの側面部のそれぞれの上辺の略Ｌ字体を構成する斜辺のうちの前記背面部に近い斜辺が、背面部の高さ方向の側辺と２０〜６０度の角度を形成することで、供物等の被収納物を落下等させることなく、安定した状態で収納体を載置することを可能としつつ、被収納物を目立たせて見栄えよい御供え品とすることができる。
【００１４】
本考案の御供え品は、前面部と、前記前面部に対向する背面部と、相互に対向し、各々が前記前面部及び前記背面部に折目線を介して連設される略同一形状の２つの側面部とを備え、前記２つの側面部の上辺の各々が、略Ｌ字を構成する２つの斜辺を含むことを特徴とする御供え台と、被収納物を収納し、前記２つの側面部の前記２つの斜辺に沿って前記御供え台に載置される収納体と、を備える。
【００１５】
御供え台が、前面部、背面部及びこれらに折目線を介して連設される略同一形状の２つの側面部を備え、これら２つの側面部の上辺の各々が、略Ｌ字を構成する２つの斜辺を含み、この２つの斜辺に沿って供物等が収納される箱型収納体を載置する構成の御供え品とすることで、折目線に沿った折り曲げにより、これらの２つの側面部を起立させて収納体を載置し、あるいは２つの側面部のうちのいずれかの側面部と背面部とが重なり合うように折り畳むことが可能となる。かかる簡易な構成とすることにより、組み立て容易で未使用時には折り畳んでコンパクトに収納できる御供え台と収納体とを備える御供え品を安価に提供することができる。
【考案の効果】
【００１６】
本考案によれば、販売時にはコンパクトに折り畳むことができ、使用時には簡易な構成で安定した御供え品として組み立て容易である、環境負荷の小さい安価な御供え台及び御供え品を提供することができる。
【図面の簡単な説明】
【００１７】
【図１】本考案の実施の形態における御供え台（側面部を起立させた状態）の斜視図
【図２】本考案の実施の形態における御供え台（折り畳んだ状態）の斜視図
【図３】本考案の実施の形態における御供え品（御供え台に収納体を載置した状態）の斜視図
【図４】本考案の実施の形態における御供え品（御供え台に収納体を載置した状態）の斜視図
【考案を実施するための形態】
【００１８】
本考案の実施の形態の御供え台及び御供え品の構成を、図面を参照して説明する。図１及び図２は、本実施の形態の御供え台を示す斜視図であり、図３及び図４は、本実施の形態の御供え品の斜視図である。
【００１９】
図１〜図４に示すように、本実施の形態の御供え台１は、前面部２、それに対向する背面部３、前面部２及び背面部３に折目線５を介して連設される相互に対向する２つの側面部４ａ、４ｂから構成される。本実施の形態の御供え台１は段ボール製であり、前面部２には、仏事等において供物を見栄えよく供えるため、菊花等の模様が中央部付近に付されている。
【００２０】
本実施の形態の御供え台１においては、背面部３の高さ方向の２つの側辺は前面部２のそれより長く、他の２つの側辺すなわち背面部３の幅は、前面部２のそれと略同一である。また、側面部４ａ、４ｂは互いに略同一形状であって、その上辺に、略Ｌ字を構成する２つの斜辺６ａ、６ｂをそれぞれ有する。斜辺６ａと斜辺６ｂとの間の角度は略９０度であり、これは、収納体７の底面と手前側の側面との間の角度に一致する。
【００２１】
背面部３に近い斜辺６ａは、背面部３の高さ方向の側辺と２０〜６０度の角度を形成する。より好ましくは、斜辺６ａと背面部３の高さ方向の側辺との間の角度は４０〜５０度であり、さらに好ましくは、略４５度である。なお、側面部４ａ、４ｂの上辺は、斜辺６ａの上端と背面部３の高さ方向の側辺の上端との間に、水平な部分を有する。
【００２２】
以上のように構成された御供え台１の使用例を説明する。図３、４に示すように、供物等を収納した収納体７を、側面部４ａ、４ｂそれぞれの２つの斜辺６ａ、６ｂに沿って載置することで、御供え台１と収納体７とは、御供え品として使用される。収納体７を斜辺６ａ、６ｂに沿って、前面部２、背面部３、側面部４ａ、４ｂにより支持することにより、収納体７を載置した状態でも高さを抑えることができるので、御供え品を棚などに置いた状態で使用することもできる。
【００２３】
なお、収納体７は、図４に示すように、水引やのし紙が貼付された蓋体を、供物等が収納される本体に被嵌した状態で御供え台に載置しても、蓋体を外して被収納物である供物等を露出させた状態で御供え台に載置してもよい。従来のスタンド型篭盛台においては、主としてスタンド上部に贈り主の名前等を記載した立札が配置されており、このために設置や廃棄が煩雑であったが、本考案の実施の形態の御供え台は、このように収納体の蓋体を利用して、贈り主を表示し、さらに仏事にふさわしい装飾を施すことで、組み立て、廃棄容易でありながらも、伝統的な仏事等に用いられる御供え台、御供え品として、従来品と同様に使用することができる。
【００２４】
販売時には、図２に示すように、折目線５に沿った折り曲げにより、御供え台１を側面部４ａ、４ｂのいずれかが背面部３と重なり合うようにして折り畳むことができる。本実施の形態の御供え台１は、前面部２と背面部３の幅が略同一であり、かつ両側面部４ａ、４ｂの幅も略同一であるので、御供え台１を折り畳むと平面状になる。また、折り畳まれて平面状とされた御供え台１は、収納体７の上面とほぼ同一の大きさとなるので、供物を収納した収納体７と共に御供え品として販売する際に、御供え台１のために御供え品が極端に大きくなることがない。
【００２５】
このように折り畳まれた御供え台１に収納体を載置して御供え品として使用する場合には、ユーザは、折目線５に沿った折り曲げにより、側面部４ａ、４ｂを起立させて図１の状態とすることができる。本実施の形態の御供え台１の前面部２に近い斜辺６ｂの長さは、収納体７の手前側の側面の高さより短い。よって、収納体７を御供え台１に載置したときに、収納体７において供物を露出する面が御供え台１から浮き上がったように見え、見栄えが良くなる。
【００２６】
このような本考案の実施の形態の御供え台１によれば、簡易な構成で安定した御供え品として組み立て容易であり、さらに販売時にはコンパクトに折り畳むことができる、環境負荷の小さい安価な御供え台及び御供え品を提供することができる。
【００２７】
以上、本考案の実施の形態を例示により説明したが、本考案の範囲はこれらに限定されるものではなく、請求項に記載された範囲内において目的に応じて変更・変形することが可能である。
【００２８】
例えば、以上の説明では、側面部４ａ、４ｂの上辺に略Ｌ字を構成する２つの斜辺を有するとともに、背面部３に近い斜辺６ａの上端と背面部３の高さ方向の側辺の上端との間に水平な部分を有する場合について例示したが、本考案の範囲はこれに限定されるものではなく、側面部４ａ、４ｂの上辺が略Ｌ字を構成する２つの斜辺のみから構成されるものであってもよく、前面部２に近い斜辺６ｂと前面部２の高さ方向の側辺との間に水平な部分があってもよい。
【００２９】
また、以上の説明では、前面部２と背面部３の幅が略同一の場合について例示したが、本考案の範囲はこれに限定されるものではなく、例えば、背面部３の幅が前面部２の幅より大きくてもよい。
【産業上の利用可能性】
【００３０】
以上のように、本考案にかかる御供え台及び御供え品は、組み立て容易であり、さらに販売時には御供え台をコンパクトに折り畳むことができる、環境負荷の小さい安価な御供え台及び御供え品として有用である。
【符号の説明】
【００３１】
１  御供え台
２  前面部
３  背面部
４ａ、４ｂ  側面部
５  折目線
６ａ、６ｂ  斜辺
７  収納体
【図１】
0003174895.tif 000003
【図２】
0003174895.tif 000004
【図３】
0003174895.tif 000005
【図４】
0003174895.tif 000006